(57)【特許請求の範囲】
【請求項１】
帯状体を螺旋状に隙間をあけて巻回して形成される螺旋管を有する芯材と、
前記芯材の外周に被覆された外皮とを有する内視鏡用可撓管であって、
前記芯材の内側に水蒸気バリヤー性を有する内皮が設けられ、
前記内皮の外径は、自然状態にて、前記螺旋管の内径より大きく外径よりも小さく、
前記内皮は、前記内視鏡用可撓管が伸直した状態で外周側に向かって凸状に湾曲、突出する突出部を有し、該突出部が前記螺旋管の前記隙間に入り込んでいることを特徴とする内視鏡用可撓管。
【請求項２】
前記内皮は、フッ素系樹脂を含む材料で構成されている請求項１に記載の内視鏡用可撓管。
【請求項３】
前記内皮は、チューブ状に形成された後、前記芯材の中空部に挿入されて設置されたものである請求項１または２に記載の内視鏡用可撓管。
【請求項４】
前記外皮は、シリコーンゴムを含む材料で構成されている請求項１ないし３のいずれかに記載の内視鏡用可撓管。
【請求項５】
前記内皮の厚さは、０．０３〜２ｍｍである請求項１ないし４のいずれかに記載の内視鏡用可撓管。
【請求項６】
前記内皮の水蒸気透過度は、１０ｇ／ｍ2・２４ｈｒｓ・４０℃・９０％ＲＨ以下である請求項１ないし５のいずれかに記載の内視鏡用可撓管。
【発明の詳細な説明】
【０００１】
【発明の属する技術分野】
本発明は、内視鏡用可撓管に関する。
【０００２】
【従来の技術】
内視鏡の挿入部や光源装置との接続部に用いられる内視鏡用可撓管は、一般に、螺旋管の外周を網状管（編組体）で被覆した中空部を有する芯材に、可撓性を有する外皮が被覆された構成となっている。
【０００３】
ここで、医療用内視鏡は、感染症等を予防するため、使用する都度、消毒・滅菌を行う必要がある。この消毒・滅菌を行う方法として、従来の消毒液等の使用に代わり、高圧蒸気滅菌（オートクレーブ）が普及してきている。この高圧蒸気滅菌では、内視鏡は、例えば、１３５℃、２気圧程度の高温高圧の水蒸気に５〜２０分程度さらされる。
【０００４】
内視鏡をこの高圧蒸気滅菌に対応可能なものとするためには、内視鏡用可撓管の外皮は、高圧蒸気滅菌時の高温に耐える耐熱性が求められる。よって、内視鏡用可撓管の外皮の材料としては、耐熱性に優れ、かつ成形性の良いシリコーンゴムが用いられている。
【０００５】
しかしながら、このような内視鏡用可撓管には、次のような問題がある。すなわち、シリコーンゴムを主とする材料で構成された内視鏡用可撓管の外皮は、水蒸気を透過し易いため、高圧蒸気滅菌を行った際に、内視鏡用可撓管の中空部に配設された例えばファイバーバンドル等の内蔵物が水蒸気にさらされ、これらの劣化が速まる、という問題である。
【０００６】
この問題を解決するために、内視鏡用可撓管の外皮を、水蒸気バリヤー性および耐熱性を有するフッ素ゴム等の材料と、シリコーンゴムとの２層構造とすることが考えられるが、この場合には、フッ素ゴムとシリコーンゴムとで加硫条件が異なるために、外皮を芯材に被覆するのに２回に分けて押し出し成形を行うことを要し、生産効率の低下、製造コストの増大を招くという問題が生じる。
【０００７】
【発明が解決しようとする課題】
本発明の目的は、高圧蒸気滅菌時等における内蔵物の劣化、損傷を防止することができ、かつ、製造が容易な内視鏡用可撓管を提供することにある。
【０００８】
【課題を解決するための手段】
このような目的は、下記（１）〜（６）の本発明により達成される。
（１）  帯状体を螺旋状に隙間をあけて巻回して形成される螺旋管を有する芯材と、
前記芯材の外周に被覆された外皮とを有する内視鏡用可撓管であって、
前記芯材の内側に水蒸気バリヤー性を有する内皮が設けられ、
前記内皮の外径は、自然状態にて、前記螺旋管の内径より大きく外径よりも小さく、
前記内皮は、前記内視鏡用可撓管が伸直した状態で外周側に向かって凸状に湾曲、突出する突出部を有し、該突出部が前記螺旋管の前記隙間に入り込んでいることを特徴とする内視鏡用可撓管。
【０００９】
これにより、高圧蒸気滅菌時等における内蔵物の劣化、損傷を防止することができ、かつ、製造が容易な内視鏡用可撓管が得られる。
また、内視鏡用可撓管に十分な機械的強度が得られる。
また、内視鏡用可撓管に曲げ、ねじり等の変形が加えられたような場合でも、内皮が芯材に対して移動（ズレ）しにくくすることができる。
また、内視鏡用可撓管の可撓性（柔軟性）を損なうことがないとともに、内皮の耐久性を向上することができる。
【００１０】
（２）  前記内皮は、フッ素系樹脂を含む材料で構成されている上記（１）に記載の内視鏡用可撓管。
これにより、内皮に特に優れた水蒸気バリヤー性および耐熱性が得られる。
【００１１】
（３）  前記内皮は、チューブ状に形成された後、前記芯材の中空部に挿入されて設置されたものである上記（１）または（２）に記載の内視鏡用可撓管。
【００１２】
これにより、容易に内皮を設置することができ、さらに容易に製造することができる。
【００１８】
（４）  前記外皮は、シリコーンゴムを含む材料で構成されている上記（１）ないし（３）のいずれかに記載の内視鏡用可撓管。
これにより、外皮に優れた耐熱性および成形性が得られる。
【００１９】
（５）  前記内皮の厚さは、０．０３〜２ｍｍである上記（１）ないし（４）のいずれかに記載の内視鏡用可撓管。
【００２０】
これにより、内皮は、十分な水蒸気バリヤー性が得られるとともに、内視鏡用可撓管の大径化や可撓性の低下を招来することがない。
【００２１】
（６）  前記内皮の水蒸気透過度は、１０ｇ／ｍ2・２４ｈｒｓ・４０℃・９０％ＲＨ以下である上記（１）ないし（５）のいずれかに記載の内視鏡用可撓管。
【００２２】
これにより、内視鏡用可撓管の中空部に配設される内蔵物をより確実に保護することができる。
【００２３】
【発明の実施の形態】
以下、本発明の内視鏡用可撓管を添付図面に示す好適な実施形態に基づいて詳細に説明する。
【００２４】
図５は、本発明の内視鏡用可撓管を有する内視鏡の一例を示す全体図である。
まず、同図を参照して、本発明の内視鏡用可撓管を有する内視鏡の全体構成について説明する。なお、以下の説明では、図５中の右側を「基端」、左側を「先端」と言う。
【００２５】
図５に示す内視鏡（ファイバースコープ）１０は、可撓性（柔軟性）を有する長尺の挿入部可撓管１１と、該挿入部可撓管１１の先端側に設けられた湾曲部１２と、挿入部可撓管１１の基端側に設けられ、術者が把持して内視鏡１０全体を操作する操作部１３と、該操作部１３の基端側に設けられ、被写体の像を直接観察する接眼部１４と、一端部が操作部１３に接続された長尺の接続部可撓管１５と、接続部可撓管１５の他端側に設けられた光源差込部１６とを有している。
【００２６】
これらのうち、挿入部可撓管１１と湾曲部１２とは、生体の管腔内に挿入する挿入部を構成するものである。挿入部可撓管１１および湾曲部１２の内部（中空部）には、例えば、光ファイバー、電線ケーブル、ケーブルまたはチューブ類等の内蔵物（図示せず）が配置、挿通されている。
【００２７】
操作部１３には、操作レバー１７が設置されている。この操作レバー１７を操作すると、挿入部可撓管１１内に配設されたワイヤー（図示せず）が牽引されて、湾曲部１２が２方向に湾曲し、その湾曲方向および湾曲度合いを遠隔操作することができる。
【００２８】
接続部可撓管１５と光源差込部１６とは、光源装置（図示せず）に対する接続部を構成するものである。すなわち、光源差込部１６の先端部には、光源用コネクタ１６１が設置されており、内視鏡１０の使用時には、この光源用コネクタ１６１を光源装置に差し込むことにより、内視鏡１０と光源装置とが光学的に接続される。
【００２９】
そして、光源装置に内蔵された光源から発せられた光は、光源用コネクタ１６１内、光源差込部１６内、接続部可撓管１５内、操作部１３内、挿入部可撓管１１内および湾曲部１２内に連続して配設された光ファイバー束によるライトガイド（図示せず）を通り、湾曲部１２の先端部１２１より観察部位に照射され、照明する。
【００３０】
前記照明光により照明された観察部位からの反射光（被写体像）は、挿入部可撓管１１内および操作部１３内に連続して配設された光ファイバー束によるイメージガイド（図示せず）を通り、接眼部１４へ伝達される。
【００３１】
接眼部１４の内部には、接眼レンズ（図示せず）が設置され、イメージガイド内を通って到達した反射光がこの接眼レンズを通して観察される。
【００３２】
本発明の内視鏡用可撓管は、以上説明したような内視鏡１０における挿入部可撓管１１や接続部可撓管１５に適用することができる。
【００３３】
また、本発明の内視鏡用可撓管は、内視鏡１０のようなファイバー内視鏡に限らず、電子内視鏡等の各種の内視鏡における挿入部可撓管および接続部可撓管に適用することができることは、言うまでもない。
【００３４】
次に、本発明の内視鏡用可撓管について説明する。
図１は、本発明の内視鏡用可撓管の実施形態を示す縦断面図、図２は、図１に示す内視鏡用可撓管の湾曲状態を示す縦断面図、図３は、内皮の外径と螺旋管の内径との大小関係を説明するための縦断面図である。
【００３５】
図１および図２に示す内視鏡用可撓管１は、中空部２４を有する芯材２と、該芯材２の外周を被覆する外皮３とを有している。中空部２４には、例えば、光ファイバー、電線ケーブル、ケーブルまたはチューブ類等の内蔵物（図中省略）を配置、挿通することができる。
【００３６】
芯材２は、螺旋管２１と、螺旋管２１の外周を被覆する網状管（編組体）２２とで構成された長尺物である。この芯材２は、内視鏡用可撓管１を補強する効果を有する。特に、螺旋管２１と網状管２２を組合わせたことにより、内視鏡用可撓管１は、十分な機械的強度を確保することができる。また、図示を省略するが、芯材２は、螺旋管２１を２重、あるいは３重に設けることにより、さらに高い機械的強度が得られる。
【００３７】
螺旋管２１は、帯状材を均一な径で螺旋状に隙間２５をあけて巻回して形成されている。該帯状材を構成する材料としては、例えば、ステンレス鋼、銅合金等が好ましく用いられる。
【００３８】
網状管２２は、金属製または非金属製の細線２３を複数並べたものを編組して形成されている。細線２３を構成する材料としては、例えば、ステンレス鋼、銅合金等が好ましく用いられる。また、網状管２２を形成する細線２３のうち少なくとも１本に合成樹脂の被覆（図示せず）が施されていてもよい。
【００３９】
芯材２の外周には、可撓性を有する外皮３が被覆されている。
外皮３の構成材料は、特に限定されないが、シリコーンゴム（シリコーン系材料）を含むものであるのが好ましい。シリコーンゴムは、優れた耐熱性を有することから、内視鏡用可撓管１を高圧蒸気滅菌（オートクレーブ）に対応可能なものとすることができる。よって、高圧蒸気滅菌を繰り返し行った場合でも、劣化が少なく、内視鏡用可撓管１の長寿命化が図れる。また、シリコーンゴムは、成形性に優れることから、例えば押し出し成形により芯材２の外周に外皮３を被覆する際に、容易にこれを行うことができる。
【００４０】
外皮３の厚さは、特に限定されないが、通常、０．１〜２ｍｍであるのが好ましく、０．２〜１ｍｍであるのがより好ましい。
【００４１】
また、外皮３は、網状管２２の少なくとも一部が外皮３に埋め込まれるように被覆されているのが好ましい。これにより、次のような効果が得られる。
【００４２】
・外皮３と網状管２２との間の結合力が強くなり、外皮３が網状管２２から剥離（分離）しにくいものとなる。これにより、内視鏡用可撓管１は、優れた弾力性が得られる。
・外皮３の耐久性が向上し、亀裂等が生じにくいものとなる。
・網状管２２の材質、編組の密度等の選択や埋め込み部分の厚さを調整することにより、外皮３の可撓性（弾力性）を所望に調節することができる。
・内視鏡用可撓管１の強度等の性能を維持しつつ、網状管２２の厚さの分だけ内視鏡用可撓管１の外径を細径化（または、内径を拡大化）することができる。
【００４３】
このような本発明の内視鏡用可撓管１は、芯材２の内側に水蒸気バリヤー性を有する内皮４を設けたことを特徴とする。
【００４４】
すなわち、螺旋管２１の内周には、水蒸気バリヤー性を有する内皮４が被覆されている。
【００４５】
ここで、水蒸気バリヤー性とは、水蒸気透過度が、好ましくは１０ｇ／ｍ2・２４ｈｒｓ・４０℃・９０％ＲＨ以下、より好ましくは２ｇ／ｍ2・２４ｈｒｓ・４０℃・９０％ＲＨ以下であることを言う。この水蒸気透過度は、ＪＩＳ  Ｋ７１２９（Ａ法）に記載の方法により測定される。
【００４６】
内皮４の構成材料としては、特に限定されないが、例えば、四フッ化エチレン樹脂（ポリテトラフルオロエチレン：ＰＴＦＥ）、四フッ化エチレン・六フッ化プロピレン共重合体（ＦＥＰ樹脂）、四フッ化エチレン・パーフルオロアルコキシエチレン共重合体（ＰＦＡ樹脂）、四フッ化エチレン・エチレン共重合体（ＥＴＦＥ樹脂）、ビニリデンフルオライド樹脂（ポリフッ化ビニリデン：ＰＶＤＦ）、ビニルフルオライド樹脂（ＰＶＦ樹脂）、クロロトリフルオロエチレン樹脂（ＣＴＦＥ樹脂）、エチレン−クロロトリフルオロエチレン樹脂（ＥＣＴＦＥ樹脂）等のフッ素系樹脂を含むものであることが好ましい。これにより、内皮４は、優れた水蒸気バリアー性および耐熱性が得られる。
【００４７】
また、内皮４の厚さは、特に限定されないが、通常、０．０３〜２ｍｍであるのが好ましく、０．０５〜１．５ｍｍであるのがより好ましい。
【００４８】
内皮４の厚さが前記下限値未満であると、内皮４の材料によっては、十分な水蒸気バリヤー性が得られない場合がある。また、多数回の使用により破損し易くなる場合がある。
【００４９】
一方、内皮４の厚さが前記上限値を超えると、中空部２４が狭くなり、内蔵物の配設に不都合を生じる場合がある。また、内視鏡用可撓管１の曲げ剛性が増大して、内視鏡用可撓管１の可撓性（柔軟性）が低下する場合がある。
【００５０】
このような内皮４が設けられていることにより、内視鏡１０に対して高圧蒸気滅菌等を行った際、水蒸気が内視鏡用可撓管１の外皮３を透過した場合であっても、該水蒸気は、内皮４により遮断されるため、螺旋管２１の隙間２５から中空部２４に侵入することが防止される。その結果、内視鏡用可撓管１の中空部２４に配設された例えば光ファイバー、ケーブル、チューブ類等の内蔵物が侵入した水蒸気により劣化・損傷することを防止することができる。
【００５１】
図１に示すように、内皮４には、内視鏡用可撓管１が伸直した状態のとき、螺旋管２１の隙間２５に入り込んだ状態となる突出部４１が形成されている。
【００５２】
この突出部４１は、内視鏡用可撓管１が伸直した状態において、外周側に向かって凸状に湾曲、突出するように形成されている。
【００５３】
換言すれば、内皮４は、内視鏡用可撓管１が伸直した状態で、螺旋管の隙間２５の位置において、外径および内径が他の部分よりも大きくなっている。すなわち、内皮４は、突出部４１において、たるんだ状態になっており、全体として蛇管状をなしている。
このような突出部４１が設けられていることにより、次の３つの利点がある。
【００５４】
［突出部４１による第１の利点］
内皮４の突出部４１は、内皮４が螺旋管２１に対し移動しにくくする（特に長手方向に移動しにくくする）というアンカー効果を生じる。よって、内視鏡用可撓管１に対し繰り返し曲げ、ねじり等の変形が加えられた場合でも、内皮４が螺旋管２１に対し、移動しにくい（ズレにくい）という利点がある。
【００５５】
［突出部４１による第２の利点］
図２に示すように、内視鏡用可撓管１を湾曲状態とすると、その湾曲外側においては螺旋管２１の隙間２５が拡大し、湾曲内側においては螺旋管２１の隙間２５が縮小する。その結果、湾曲外側においては、内皮４の突出部４１は、真っ直ぐに伸びるようにして長手方向に伸長し、隙間２５から退避した状態となる。また、湾曲内側においては、内皮４の突出部４１は、折り畳まれるようにして長手方向に収縮する。
【００５６】
このように、内皮４は、突出部４１が長手方向に伸長する余裕（たるみ）を有しているため、湾曲外側における伸びを突出部４１で吸収することができる。よって、湾曲外側における内皮４が内視鏡用可撓管１の湾曲を妨げることがない。これにより、突出部４１による第２の利点として、内視鏡用可撓管１は、優れた可撓性（柔軟性）が得られる。
【００５７】
［突出部４１による第３の利点］
また、湾曲外側での伸びを突出部４１が吸収することから、湾曲外側において内皮４が引き伸ばされることがない。これにより、内視鏡用可撓管１が湾曲しても、内皮４に引っ張り力が加えられるようなことがないため、使用回数を重ねても内皮４にピンホールや亀裂が生じるなどの劣化が生じにくい。よって、突出部４１による第３の利点として、内皮４の厚さが比較的薄いような場合であっても、優れた水蒸気バリヤー性を長期に渡って維持することができる。
【００５８】
このような内皮４を設置する方法は、特に限定されないが、例えば次のような方法により、容易に設置することができる。
【００５９】
図３に示すように、芯材２に外皮３を被覆したものを用意する。すなわち、これは、通常の内視鏡用可撓管と同様の状態のものである。
【００６０】
次いで、内皮４を、例えば押し出し成形等の方法により、チューブ状の部材として形成する。
【００６１】
このとき、図３中に一点鎖線で示すように、チューブ状に形成した内皮４の自然状態（外力を付与しない状態）における外径φＤは、螺旋管２１の内径φｄ１よりも大きい（φＤ＞φｄ１）ことが好ましい。また、前記φＤは、螺旋管２１の外径φｄ２より小さい（φＤ＜φｄ２）ことがより好ましい。
【００６２】
チューブ状に形成した内皮４の自然状態における外径φＤが前記範囲にあることにより、内皮４は、螺旋管２１の内周に対する優れた密着性が得られるとともに、突出部４１が好適な大きさに形成される。
【００６３】
次いで、このようなチューブ状の内皮４を長手方向に引き伸ばす（引っ張る）。これにより、内皮４の外径は、縮径し、φＤ’＜φＤなるφＤ’に変化する。このとき、縮径した内皮４の外径φＤ’が螺旋管２１の内径φｄ１よりも小さくなる（φＤ’＜φｄ１）ようにする。
【００６４】
次いで、このように縮径したチューブ状の内皮４を螺旋管２１の内部に挿入し、内皮４に加えていた長手方向の引っ張りを解除する。
【００６５】
この状態で、内皮４を例えば熱変形温度程度に加熱する。この加熱により、内皮４は、元の直径（自然状態での直径）に戻ろうとして、拡径する。これにより、内皮４は、芯材２と一体化する。すなわち、内皮４は、螺旋管２１に接触する部分では、螺旋管２１の内周に圧接されるようにして密着し、螺旋管２１の隙間２５の位置では、突出部４１を形成する。
【００６６】
内皮４は、上述した方法によって、容易に内視鏡用可撓管１に設置することができる。このため、本発明によれば、高圧蒸気滅菌等に適した内視鏡用可撓管を簡単な方法で製造することができ、生産効率の向上、製造コストの低減が図れる。また、上述した方法によれば、突出部４１を容易かつ好適に形成することができる。
【００６７】
また、本発明においては、内皮４の厚さや材料などを適宜選択することにより、内視鏡用可撓管１の可撓性（弾力性）を所望に調節することもできる。
【００６８】
図４は、本発明の内視鏡用可撓管と光源差込部との接続部分の縦断面図である。なお、以下の説明では、図４中の左側を「一端」、右側を「他端」と言う。
【００６９】
同図を参照して、本発明の内視鏡用可撓管の他の部位に対する接続部分の構成例について説明する。
【００７０】
図４に示すように、前記内視鏡１０において、本発明の内視鏡用可撓管を適用した接続部可撓管１５の他端側は、口金９０を介して光源差込部１６の一端部に接続されている。
【００７１】
口金９０は、ほぼ円筒形状をなし、その一端部９０１は、その外径が接続部可撓管１５の外径とほぼ同じになっている。
【００７２】
接続部可撓管１５の他端部は、網状管２２が露出する程度に外皮３を剥がす加工が施されており、この部分が口金９０の一端部９０１内に挿入されている。
【００７３】
口金９０の一端部９０１には、ろう接用孔９０２が形成されており、該ろう接用孔９０２にろう付けが施されている。これにより、接続部可撓管１５（螺旋管２２）と、口金９０とが固着されている。
【００７４】
口金９０と接続部可撓管１５との境界部の外周には、熱収縮チューブ９１を被覆してもよい。これにより、該境界部の気密性および液密性がより向上する。
【００７５】
接続部可撓管１５の内皮４は、芯材２および外皮３の他端面１５１を越えて他端方向に延長して設けられており、口金９０の中間部９０３の内部まで達している。
【００７６】
口金９０の中間部９０３の内側には、ほぼ円環形状をなす内皮押さえリング９０４が設置されており、該内皮押さえリング９０４により、内皮４は、中間部９０３の内周面と内皮押さえリング９０４の外周面に挟まれるようにして、口金９０の内部に固定されている。これにより、口金９０と接続部可撓管１５の接続部分の気密性および液密性が確保されている。
【００７７】
光源差込部１６の一端部には、他端方向に向かって円環状に突出する突出部１６２が設けられており、該突出部１６２は、口金９０の他端部９０５内に挿入されている。
【００７８】
口金９０の他端部９０５には、ネジ孔が形成されており、該ネジ孔にビス９２が螺合し、他端部９０５の内側からビス９２の先端が突出している。該ビス９２の先端は、光源差込部１６の突出部１６２の外周に設けられた凹部内に挿入しており、これにより、口金９０は、光源差込部１６に対して固定されている。
【００７９】
また、接続部可撓管１５と光源差込部１６との接続部分の外周には、一端方向に向かって外径および内径が漸減する部分を有するほぼ円筒状の折れ止めゴム９３が設置されており、これにより、該接続部分に十分な強度が確保されている。
【００８０】
折れ止めゴム９３と口金９０および光源差込部１６との間には、Ｏリング９４、９５がそれぞれ設置されており、これにより、口金９０と光源差込部１６との接続部分の気密性および液密性が確保されている。
【００８１】
このような構成により、接続部可撓管１５と光源差込部１６との接続部分においては、十分な気密性および液密性が確保されている。これにより、内視鏡１０では、高圧蒸気滅菌時等における水蒸気の内部への侵入がより確実に防止され、光ファイバー束等の内蔵物の劣化・損傷を確実に防止することができる。
【００８２】
以上、本発明の内視鏡用可撓管を図示の実施形態について説明したが、本発明は、これに限定されるものではなく、内視鏡用可撓管を構成する各部は、同様の機能を発揮し得る任意の構成のものと置換することができる。
【００８３】
例えば、外皮や内皮は、その全部または一部が複数の層（特に異種材料の層）を積層した多層積層体で構成されているようなものであってもよい。
【００８４】
また、内皮の突出部は、例えば、他の部分よりも厚肉となることにより外周側に突出するものや、芯材の隙間に溶け込むようにして入り込んでいるようなものであってもよい。
【００８５】
【発明の効果】
以上述べたように、本発明によれば、水蒸気が内視鏡用可撓管の中空部に侵入することを防止することができる。これにより、高圧蒸気滅菌等による湿熱環境化に置かれた場合でも、内視鏡用可撓管の中空部に配設された内蔵物の劣化、損傷を防止することができる。
【００８６】
特に、フッ素系樹脂を含む材料で内皮を構成した場合には、内皮に特に優れた水蒸気バリヤー性および耐熱性が得られる。よって、高圧蒸気滅菌に特に適した内視鏡用可撓管が得られる。
【００８７】
また、シリコーンゴムを含む材料で外皮を構成した場合には、外皮に優れた耐熱性が得られる。よって、高圧蒸気滅菌に特に適した内視鏡用可撓管が得られる。また、この場合には、製造時の優れた成形性も得られる。
【００８８】
また、内皮をチューブ状に形成した後、芯材の中空部に挿入して設置することとした場合には、上記効果を発揮しつつ、容易に製造することができ、生産効率の向上、製造コストの低減を図ることができる。
【図面の簡単な説明】
【図１】本発明の内視鏡用可撓管の実施形態を示す縦断面図である。
【図２】図１に示す内視鏡用可撓管の湾曲状態を示す縦断面図である。
【図３】チューブ状に形成された内皮の外径と、螺旋管の内外径との大小関係を説明するための縦断面図である。
【図４】本発明の内視鏡用可撓管と光源差込部との接続部分の縦断面図である。
【図５】本発明の内視鏡用可撓管を有する内視鏡の一例を示す全体図である。
【符号の説明】
１            内視鏡用可撓管
２            芯材
２１          螺旋管
２２          網状管
２３          細線
２４          中空部
２５          隙間
３            外皮
４            内皮
４１          突出部
１０          内視鏡
１１          挿入部可撓管
１２          湾曲部
１２１        先端部
１３          操作部
１４          接眼部
１５          接続部可撓管
１５１        他端面
１６          光源差込部
１６１        光源用コネクタ
１６２        突出部
１７          操作レバー
９０          口金
９０１        一端部
９０２        ろう接用孔
９０３        中間部
９０４        内皮押さえリング
９０５        他端部
９１          熱収縮チューブ
９２          ビス
９３          折れ止めゴム
９４、９５    Ｏリング
【図１】
0004708589.tif 000002
【図２】
0004708589.tif 000003
【図３】
0004708589.tif 000004
【図４】
0004708589.tif 000005
【図５】
0004708589.tif 000006